(57)【要約】【課題】現像剤の搬送性能とピッチムラの抑制との両立を高精度に実現できる現像ローラを提供する。【解決手段】現像スリーブ１３２の表面に、切削バイトを往復移動（振動）させながら送ることにより凹部２と凸部４からなる凹凸形状を現像スリーブ１３２の円周方向に連続して形成するとともに、軸方向には螺旋状に繋がるように形成する。凹凸形状が連なる列Ｌ１と隣り合う列Ｌ２では凹凸の周期がずれるように形成される。【選択図】図９
2016105162.tif 000002
【特許請求の範囲】
【請求項１】
磁界発生手段と、
前記磁界発生手段を内包し、前記磁界発生手段の磁力により表面に現像剤を吸着する現像スリーブと、
を備え、
前記現像スリーブの表面において、該現像スリーブの円周方向に複数の凹凸形状が連なり、且つ、前記凹凸形状の連なりが前記現像スリーブの軸方向に螺旋状に存在する現像ローラ。
【請求項２】
請求項１に記載の現像ローラにおいて、
前記円周方向における前記凹凸形状の断面形状が、正弦波形をなす現像ローラ。
【請求項３】
請求項１又は２に記載の現像ローラにおいて、
前記凹凸形状の連なりが前記円周方向に周期性を有し、前記軸方向における隣り合う列では凹凸の周期が重ならない現像ローラ。
【請求項４】
請求項１〜３のいずれか１つに記載の現像ローラにおいて、
前記凹凸形状が切削加工により形成されている現像ローラ。
【請求項５】
請求項４に記載の現像ローラにおいて、
前記現像スリーブの外径面の全体が切削加工で仕上げられている現像ローラ。
【請求項６】
請求項１〜５のいずれか１つに記載の現像ローラにおいて、
前記凹凸形状の連なりの螺旋ピッチが、前記凹凸形状の前記軸方向の幅よりも小さい現像ローラ。
【請求項７】
磁界発生手段と、
前記磁界発生手段を内包し、前記磁界発生手段の磁力により表面に現像剤を吸着する円筒状の現像スリーブと、
を備え、
前記現像スリーブの表面には、配列周期が異なる２種類以上の窪みが円周方向及び軸方向に設けられている現像ローラ。
【請求項８】
請求項７に記載の現像ローラにおいて、
前記２種類以上の窪みは、前記現像スリーブの表面における開口面積、前記軸方向の縦幅、前記円周方向の横幅、径方向の深さ及び前記軸方向に対する傾斜角度のうち、少なくとも１つが異なっている現像ローラ。
【請求項９】
請求項７又は８に記載の現像ローラにおいて、
前記各窪みは、それらの一部が重なって形成、配置されている現像ローラ。
【請求項１０】
請求項８又は９に記載の現像ローラにおいて、
前記各窪みは前記開口面積が異なり、開口面積の大きい窪みは疎に開口面積の小さい窪みは密に配置されている現像ローラ。
【請求項１１】
請求項７〜１０のいずれか１つに記載の現像ローラにおいて、
前記窪みのエッジ部又は前記窪みと窪みとの境界部が湾曲形状をなすように処理が施されている現像ローラ。
【請求項１２】
請求項１〜１１のいずれか１つに記載の現像ローラを有する現像装置。
【請求項１３】
像担持体と、請求項１２に記載の現像装置とを一体に有するプロセスカートリッジ。
【請求項１４】
請求項１２に記載の現像装置又は請求項１３に記載のプロセスカートリッジを有する画像形成装置。
【請求項１５】
磁界発生手段と、前記磁界発生手段を内包し、前記磁界発生手段の磁力により表面に現像剤を吸着する現像スリーブとを備えた現像ローラの表面加工方法であって、
前記現像スリーブに対する切削加工の切込み量を、前記現像スリーブの回転とは独立に往復駆動させることで、前記現像スリーブの表面に、該現像スリーブの円周方向に複数の凹凸形状が連なるように形成するとともに、前記現像スリーブの軸方向の切削送りにより、前記凹凸形状の連なりが前記現像スリーブの軸方向に螺旋状に存在するように形成する現像ローラの表面加工方法。
【発明の詳細な説明】
【技術分野】
【０００１】
本発明は、現像ローラ、現像装置、プロセスカートリッジ、画像形成装置及び現像ローラの表面加工方法に関する。
【背景技術】
【０００２】
画像形成装置では、現像剤を現像ローラの表面に担持して、感光体ドラム等の像担持体と対向する現像領域に搬送し、像担持体上に形成された静電潜像にトナーを供給してトナー像として可視化する。
現像ローラは、マグネットローラ等の固定磁極と、該固定磁極を内包し、該固定磁極の磁力により表面に現像剤を吸着する現像スリーブとを備えている。
この種の現像ローラでは、現像ローラにより現像剤を搬送する際、現像スリーブの表面上で現像剤がスリップすることによる現像剤の搬送不良が生じやすく、搬送不良が生じた場合には画像濃度の低下や画像ムラを来たす。
この問題を解消すべく、特許文献１等には、現像スリーブの表面に、現像剤を保持する円形又は楕円形状の凹み（窪み、溝ともいう）を互いに重ならないように、規則的に又は不規則的に多数形成して現像剤のスリップを抑制する構成が開示されている。
【発明の概要】
【発明が解決しようとする課題】
【０００３】
一般に、現像スリーブ表面の凹みの深さが深いほど現像剤の搬送性能は向上するが、溝内で搬送する現像剤が溝が無い部分で搬送する現像剤よりも多くなるので、周期的なピッチムラが発生しやすくなる。
特に近年では、小粒径のトナーや磁性キャリアによる画像形成技術の進歩及び近接現像方式の画像形成技術の進歩等により画像再現性が向上しているため、ピッチムラが発生しやすくなっている。
凹みの深さを浅くするとピッチムラは発生しにくくなるが、逆に現像剤の搬送性能が低下する。
特許文献１等の従来技術では、凹みの深さを浅めに設定し、且つ凹みの分布密度を増やすことで現像剤の搬送性能とピッチムラの抑制との両立を図っているが、ピッチムラの問題は依然として満足できる状況になかった。
【０００４】
本発明は、このような現状に鑑みてなされたもので、現像剤の搬送性能とピッチムラの抑制との両立を高精度に実現できる現像ローラの提供を、その主な目的とする。
【課題を解決するための手段】
【０００５】
上記目的を達成するために、本発明の現像ローラは、磁界発生手段と、前記磁界発生手段を内包し、前記磁界発生手段の磁力により表面に現像剤を吸着する現像スリーブと、を備え、前記現像スリーブの表面において、該現像スリーブの円周方向に複数の凹凸形状が連なり、且つ、前記凹凸形状の連なりが前記現像スリーブの軸方向に螺旋状に存在する。
【発明の効果】
【０００６】
本発明によれば、現像剤の搬送性能とピッチムラの抑制との両立を高精度に実現できる。
【図面の簡単な説明】
【０００７】
【図１】本発明の第１の実施形態に係る画像形成装置の概要構成図である。
【図２】プロセスカートリッジの概要断面図である。
【図３】現像ローラの図２におけるＸ線での断面図である。
【図４】現像スリーブの斜視図である。
【図５】図４のＡ部の拡大写真画像図である。
【図６】図４のＡ部の拡大斜視図である。
【図７】図５の部分平面図である。
【図８】現像スリーブの円周方向の断面における切削バイトの切り込み軌跡を示す図である。
【図９】現像スリーブにおける凹凸形状を示す図で、（ａ）は平面図、（ｂ）は切削バイトの切り込み深さと送りの関係を示す図である。
【図１０】切削バイトの切り込み深さを一定にした場合を説明するための図で、（ａ）は平面図、（ｂ）は切削バイトの切り込み深さと送りの関係を示す図である。
【図１１】現像スリーブの表面に凹凸形状を形成する表面加工装置の概要構成図である。
【図１２】表面加工装置の工具を示す概要構成図である。
【図１３】現像スリーブの表面に凹凸形状を形成する制御ブロック図である。
【図１４】切削バイトを駆動する波形を示す図である。
【図１５】切削バイトを示す図で、（ａ）は側面図、（ｂ）は平面図、（ｃ）は切削バイトの先端部の拡大平面図である。
【図１６】現像スリーブの外径面全体を切削することで現像スリーブの振れ精度が高まることを説明するための図である。
【図１７】ドクタブレードの現像剤の層厚み規制機能を示す図である。
【図１８】切削バイトの振動条件を変えた例の図４のＡ部の拡大写真画像図である。
【図１９】切削バイトの振動条件を変えた例の図４のＡ部の拡大斜視図である。
【図２０】図１８の部分平面図である。
【図２１】本発明の第２の実施形態における現像スリーブの表面に窪みを形成する表面加工装置の概要構成図で、（ａ）は表面加工装置の正面図、（ｂ）は現像スリーブに対するエンドミルの位置関係を示す断面図、（ｃ）はエンドミルの拡大側面図、（ｄ）はエンドミルの拡大正面図、（ｅ）は4枚刃のエンドミルの拡大正面図である。
【図２２】制御ブロック図である。
【図２３】窪みの配列パターンを示す図で、（ａ）は周方向の展開図、（ｂ）はＭ線における断面図、（ｃ）は（ｂ）の一部拡大図である。
【図２４】窪み形成時の問題点を説明する図で、（ａ）はバリの発生原理を説明する図、（ｂ）はエッジ部を示す図、（ｃ）はエッジ部の処理をせずに表面処理を施した状態を示す図である。
【図２５】エッジ部の問題を解消する構成を示す図で、（ａ）はエッジ部に湾曲処理を施した状態を示す図、（ｂ）はエッジ部の処理後に表面処理を施した状態を示す図である。
【図２６】2種類の窪みを同時加工する場合の現像スリーブとエンドミルとの位置関係を示す図で、（ａ）は側面図、（ｂ）は平面図である。
【図２７】窪みを形成した後の現像スリーブの表面を示す写真画像図である。
【図２８】従来の１種類の窪みを配列した現像スリーブの斜視図である。
【図２９】図２８で示した現像スリーブの窪みの配列パターンを示す図で、（ａ）は周方向の展開図、（ｂ）は（ａ）のＮ１、Ｎ２線における窪みの断面図である。
【図３０】図２８で示した現像スリーブの表面を示す写真画像図である。
【図３１】ピッチムラが発生する原因を説明するための図である。
【図３２】ピッチムラが発生する原因を説明するための図である。
【発明を実施するための形態】
【０００８】
以下、本発明の実施形態を図を参照して説明する。    
図１乃至図２０に第１の実施形態を示す。まず、図１に基づいて、本実施形態に係る画像形成装置の構成の概要を説明する。画像形成装置１０１は、イエロー（Ｙ）、マゼンダ（Ｍ）、シアン（Ｃ）、黒（Ｋ）の各色を重ね合わせたカラー画像を、記録媒体としての記録紙１０７に形成する構成を有する。
なお、イエロー、マゼンダ、シアン、黒の各色に対応するユニットなどを、以下、符号の末尾に各々Ｙ、Ｍ、Ｃ、Ｋを付けて示す。
【０００９】
画像形成装置１０１は、装置本体１０２と、給紙ユニット１０３と、レジストローラ対１１０と、転写ユニット１０４と、定着ユニット１０５と、複数のレーザ書き込みユニット１２２Ｙ、１２２Ｍ、１２２Ｃ、１２２Ｋと、複数のプロセスカートリッジ１０６Ｙ、１０６Ｍ、１０６Ｃ、１０６Ｋ等を備えている。
これらの各部材は装置本体１０２に収容されている。装置本体１０２は、例えば、箱状に形成され、フロア上などに設置される。
給紙ユニット１０３は、記録紙１０７を重ねて収容するとともに装置本体１０２に出し入れ自在な給紙カセット１２３と、給紙ローラ１２４とを備えている。給紙ローラ１２４は、給紙カセット１２３内の最上の記録紙１０７に押し当てられている。
給紙ローラ１２４は、最上の記録紙１０７を、転写ユニット１０４の搬送ベルト１２９と、プロセスカートリッジ１０６との間に送り出す。
【００１０】
レジストローラ対１１０は、給紙ユニット１０３から転写ユニット１０４に搬送される記録紙１０７の搬送経路に設けられており、一対のローラ１１０ａ、１１０ｂを備えている。
レジストローラ対１１０は、一対のローラ１１０ａ、１１０ｂ間に記録紙１０７を挟み込み、該挟み込んだ記録紙１０７をトナー像に重ね合わせ得るタイミングで、転写ユニット１０４とプロセスカートリッジ１０６との間に送り出す。
転写ユニット１０４は、給紙ユニット１０３の上方に設けられている。転写ユニット１０４は、駆動ローラ１２７と、従動ローラ１２８と、搬送ベルト１２９と、転写ローラ１３０Ｙ、１３０Ｍ、１３０Ｃ、１３０Ｋとを備えている。
【００１１】
駆動ローラ１２７は、記録紙１０７の搬送方向の下流側に配置されており、駆動源としてのモータなどによって回転駆動される。
従動ローラ１２８は、装置本体１０２に回転自在に支持されており、記録紙１０７の搬送方向の上流側に配置されている。
搬送ベルト１２９は、無端状に形成されており、駆動ローラ１２７と従動ローラ１２８との双方に掛け渡されている。
搬送ベルト１２９は、駆動ローラ１２７が回転駆動されることで、駆動ローラ１２７と従動ローラ１２８との回りを図中反時計回り方向に循環走行する。
転写ローラ１３０Ｙ、１３０Ｍ、１３０Ｃ、１３０Ｋは、それぞれ、プロセスカートリッジ１０６Ｙ、１０６Ｍ、１０６Ｃ、１０６Ｋの後述する感光体ドラムとの間に搬送ベルト１２９と該搬送ベルト１２９上の記録紙１０７とを挟むように配置されている。
【００１２】
転写ユニット１０４は、転写ローラ１３０Ｙ、１３０Ｍ、１３０Ｃ、１３０Ｋが、給紙ユニット１０３から送り出された記録紙１０７を各プロセスカートリッジ１０６の感光体ドラムの外表面に押し付けて、感光体ドラム上のトナー像を記録紙１０７に転写する。
転写ユニット１０４は、トナー像を転写した記録紙１０７を定着ユニット１０５に向けて送り出す。
定着ユニット１０５は、転写ユニット１０４の記録紙１０７の搬送方向下流に設けられ、互いの間に記録紙１０７を挟む一対のローラ１０５ａ、１０５ｂを備えている。
定着ユニット１０５は、一対のローラ１０５ａ、１０５ｂ間に転写ユニット１０４から送り出されてきた記録紙１０７を押圧、加熱することで、感光体ドラムから記録紙１０７上に転写されたトナー像を記録紙１０７に定着させる。
【００１３】
レーザ書き込みユニット１２２Ｙ、１２２Ｍ、１２２Ｃ、１２２Ｋは、それぞれ、装置本体１０２の上部に取り付けられている。
レーザ書き込みユニット１２２Ｙ、１２２Ｍ、１２２Ｃ、１２２Ｋは、それぞれ、一つのプロセスカートリッジ１０６Ｙ、１０６Ｍ、１０６Ｃ、１０６Ｋに対応している。
レーザ書き込みユニット１２２Ｙ、１２２Ｍ、１２２Ｃ、１２２Ｋは、プロセスカートリッジ１０６Ｙ、１０６Ｍ、１０６Ｃ、１０６Ｋの後述の帯電ローラにより一様に帯電された感光体ドラムの外表面にレーザ光を照射して、静電潜像を形成する。
プロセスカートリッジ１０６Ｙ、１０６Ｍ、１０６Ｃ、１０６Ｋは、それぞれ、転写ユニット１０４と、レーザ書き込みユニット１２２Ｙ、１２２Ｍ、１２２Ｃ、１２２Ｋとの間に設けられている。
プロセスカートリッジ１０６Ｙ、１０６Ｍ、１０６Ｃ、１０６Ｋは、それぞれ装置本体１０２に着脱自在である。
【００１４】
プロセスカートリッジ１０６Ｙ、１０６Ｍ、１０６Ｃ、１０６Ｋは、記録紙１０７の搬送方向に沿って、互いに並設されている。
プロセスカートリッジ１０６は、図２に示すように、カートリッジケース１１１と、帯電装置としての帯電ローラ１０９と、像担持体としての感光体ドラム１０８と、クリーニング装置としてのクリーニングブレード１１２と、現像装置１１３とを備えている。
カートリッジケース１１１は、装置本体１０２に着脱自在で、かつ帯電ローラ１０９と、感光体ドラム１０８と、クリーニングブレード１１２と、現像装置１１３とを一体的に収容している。
帯電ローラ１０９は、感光体ドラム１０８に近接または接触しており、感光体ドラム１０８の外表面を一様に帯電する。感光体ドラム１０８は、現像装置１１３の現像ローラ１１５に対し間隔をあけて配置されている。
感光体ドラム１０８は、その軸芯を中心として回転自在な円柱状又は円筒状に形成されている。
【００１５】
感光体ドラム１０８は、対応するレーザ書き込みユニット１２２Ｙ、１２２Ｍ、１２２Ｃ、１２２Ｋにより、外表面上に静電潜像が形成される。
感光体ドラム１０８の外表面上に形成された静電潜像は、現像装置１１３によりトナー像として現像され、トナー像は搬送ベルト１２９との間に位置付けられた記録紙１０７に転写される。
クリーニングブレード１１２は、記録紙１０７にトナー像を転写した後に、感光体ドラム１０８の外表面に残留した転写残トナーを除去する。
【００１６】
現像装置１１３は、現像剤供給部１１４と、現像ケース１２５と、現像剤担持体としての現像ローラ１１５と、規制部材としてのドクタブレード１１６等を備えている。
現像剤供給部１１４は、現像剤収容部１１７と、攪拌部材としての一対の攪拌スクリュ１１８とを備えている。現像剤収容部１１７は、感光体ドラム１０８と長さが略等しい箱状に形成されている。
現像剤収容部１１７内には、該現像剤収容部１１７の軸方向に沿って延びた仕切壁１１９が設けられている。仕切壁１１９は、現像剤収容部１１７内を第１空間１２０と、第２空間１２１とに区画している。
【００１７】
第１空間１２０と第２空間１２１とは、感光体ドラム１０８の軸方向の両端部が互いに連通している。現像剤収容部１１７では、第１空間１２０と第２空間１２１との双方に現像剤１２６が収容されている。
一対の攪拌スクリュ１１８の逆向きの回転により、現像剤１２６が現像剤収容部１１７内を循環するように搬送される。
現像剤１２６は、トナーと、磁性キャリア（磁性粉ともいう）とを含む二成分現像剤である。
トナーは、第１空間１２０と、第２空間１２１のうち、現像ローラ１１５から離れた側の第１空間１２０の一端部から適宜供給される。
【００１８】
トナーは、乳化重合法又は懸濁重合法により製造された球状の微粒子である。なお、トナーは、種々の染料又は顔料を混入・分散した合成樹脂で構成される塊を粉砕して得られたものでも良い。トナーの平均粒径は、３μｍ以上でかつ７μｍ以下である。
磁性キャリアは、第１空間１２０と第２空間１２１との双方に収容されている。磁性キャリアの平均粒径は、２０μｍ以上でかつ５０μｍ以下である。
【００１９】
攪拌スクリュ１１８は、第１空間１２０と第２空間１２１それぞれに収容されている。攪拌スクリュ１１８の長手方向は、現像剤収容部１１７、現像ローラ１１５及び感光体ドラム１０８の長手方向と平行である。
攪拌スクリュ１１８は、その軸芯周りに回転自在に設けられており、軸芯周りに回転することで、トナーと磁性キャリアとを攪拌するとともに、軸芯方向に沿って現像剤１２６を搬送する。
本実施形態では、第１空間１２０内の攪拌スクリュ１１８は、現像剤１２６を前述した一端部から他端部に向けて搬送する。
【００２０】
第２空間１２１内の攪拌スクリュ１１８は、現像剤１２６を他端部から一端部に向けて搬送する。
第１空間１２０内の攪拌スクリュ１１８は前記一端部に供給されたトナーを、磁性キャリアと攪拌しながら他端部に搬送し、この他端部から第２空間１２１の他端部に搬送する。
第２空間１２１内の攪拌スクリュ１１８はトナーと磁性キャリアとを攪拌し、その軸芯方向に搬送しながら、現像ローラ１１５の外表面に供給する。
【００２１】
現像ケース１２５は、箱状に形成されて現像剤収容部１１７に取り付けられ、該現像剤収容部１１７と共に現像ローラ１１５などを覆っている。
現像ケース１２５の感光体ドラム１０８と相対する部分には、開口部１２５ａが設けられている。
現像ローラ１１５は円柱状に形成され、第２空間１２１と、感光体ドラム１０８との間でかつ開口部１２５ａの近傍に設けられている。
現像ローラ１１５は、感光体ドラム１０８と現像剤収容部１１７との双方と平行である。現像ローラ１１５と感光体ドラム１０８との間の空間は、現像剤１２６のトナーを感光体ドラム１０８に吸着させて、静電潜像を現像してトナー像を得る現像領域１３１をなしている。現像領域１３１では、現像ローラ１１５と感光体ドラム１０８とが相対する。
【００２２】
現像ローラ１１５は、図２及び図３に示すように、芯金１３４と、磁界発生手段としての円筒状のマグネットローラ１３３と、円筒状の現像スリーブ１３２とを備えている。
芯金１３４は、感光体ドラム１０８の長手方向と平行に配置され、現像ケース１２５に回転することなく固定されている。
マグネットローラ１３３は磁性材料で構成され、かつ円筒状に形成されているとともに、図示しない複数の固定磁極が取り付けられている。マグネットローラ１３３は、芯金１３４の外周に軸芯回りに回転することなく固定されている。
【００２３】
各固定磁極は、長尺で棒状の磁石であり、マグネットローラ１３３の全長に亘って設けられている。
マグネットローラ１３３は、現像スリーブ１３２内に内包されている。
複数の固定磁極のうち、一つの固定磁極は、第２空間１２１内の攪拌スクリュ１１８と相対している。該一つの固定磁極は、汲み上げ磁極をなしており、現像スリーブ１３２の外表面（以下、単に「表面」ともいう）上に磁気力を生じさせる。
これにより、第２空間１２１内の現像剤１２６は現像スリーブ１３２の外表面に吸着する。
【００２４】
他の一つの固定磁極は、感光体ドラム１０８と相対している。この固定磁極は、現像磁極をなしており、現像スリーブ１３２と感光体ドラム１０８との間に磁界を形成する。該磁界によって磁気ブラシが形成され、現像スリーブ１３２の外表面に吸着された現像剤１２６のトナーが磁気ブラシを介して感光体ドラム１０８に受け渡される。
現像スリーブ１３２の回転方向は感光体ドラム１０８とは逆方向である。
【００２５】
上記汲み上げ磁極と現像磁極との間には、少なくとも一つの固定磁極が設けられている。この固定磁極は、現像スリーブ１３２の外表面上に磁気力を生じさせる。
これにより、現像前の現像剤１２６は現像スリーブ１３２により感光体ドラム１０８に向けて搬送されるとともに、現像済みの現像剤１２６が感光体ドラム１０８から現像剤収容部１１７内まで搬送される。
上記現像磁極により、現像スリーブ１３２の外表面に現像剤１２６が吸着すると、現像剤１２６の磁性キャリアが該現像磁極が生じる磁力線に沿って複数重ねられ、現像スリーブ１３２の外表面上に穂立ちする。穂立ちした磁性キャリアにトナーが吸着する。
上記原理により、現像スリーブ１３２は、マグネットローラ１３３の磁力により外表面に現像剤１２６を吸着する。
【００２６】
現像スリーブ１３２は、図４に示すように、円筒状に形成されている。
現像スリーブ１３２は、マグネットローラ１３３を内包して、軸芯回りに回転自在に設けられている。
現像スリーブ１３２は、その内周面が各固定磁極に順に相対するように回転される。よって、マグネットローラと現像剤間に相互作用する磁力に影響を与えないため、現像スリーブ１３２の材料としては非磁性材料が選定される。
図４において、符号Ｙは現像スリーブ１３２の円周方向を、Ｚは軸方向を示している。現像スリーブ１３２の表面には、後述する凹凸形状が多数形成されている。
【００２７】
現像スリーブ１３２は、アルミニウム合金、真鍮、ステンレス鋼（ＳＵＳ）、導電性の樹脂などの非磁性材料で構成されている。
アルミニウム合金は加工性、軽さの面で優れており、ステンレス鋼は加工性は劣るが、硬度、耐磨耗性、腐食性に優れ、加工後表面処理などの処理が必要ない点がメリットである。
アルミニウム合金を用いる場合には、Ａ６０６３、Ａ５０５６及びＡ３００３を用いるのが好ましい。
ＳＵＳを用いる場合には、ＳＵＳ３０３、ＳＵＳ３０４及びＳＵＳ３１６を用いるのが好ましい。本実施形態では、現像スリーブ１３２は、ステンレス鋼ＳＵＳ３０４で構成されている。
【００２８】
本実施形態における現像スリーブ１３２の外径は、１２ｍｍ〜３０ｍｍである。現像スリーブ１３２の軸方向の長さは、３００ｍｍ〜３５０ｍｍ程度である。
【００２９】
図５は、図４におけるＡ部の拡大写真画像図で、図６はＡ部の拡大斜視図である。図７は、図５の一部を分かりやすく表示した平面図である。
図７に示すように、現像スリーブ１３２の表面には、凹部２と凸部４とからなる凹凸形状が円周方向であるＹ方向に連続して形成されている。
凹部２の軸方向（Ｚ方向）における幅が最も大きい部分が切削工具（以下、「切削バイト」という）による切り込み深さが最も大きい部分、すなわち最も深い部分である。
凹凸形状とは、凹部−凸部の組み合わせ形状と、凸部−凹部の組み合わせ形状の双方を含む概念である。
【００３０】
凹凸形状の連なり（列）は、現像スリーブ１３２の軸方向に直交するＹ０方向に対して若干角度を有するＹ１方向に形成されており、これにより凹凸形状の連なりは軸方向には螺旋状に繋がっている。
凹凸形状の連なりは、凹凸形状のパターンが繰り返されることにより円周方向に周期性を有し、軸方向における隣り合う列では凹凸の周期が重ならないように形成されている。
すなわち、１番目の列Ｌ１の凹部２に対し、２番目の列Ｌ２では凸部４が対応し、２番目の列Ｌ２の凸部４に対し、３番目の列Ｌ３では凹部２が対応している。
このようにすることで、現像剤が軸方向で密集せず、ピッチムラを抑制することができる。
【００３１】
現像スリーブ１３２に対する切削加工の切込み量を、現像スリーブ１３２の回転とは独立に往復駆動させることで、現像スリーブ１３２の表面に、現像スリーブ１３２の円周方向に凹凸形状を波状に連続して形成している。
また、現像スリーブ１３２の軸方向の切削送りにより、凹凸形状を現像スリーブ１３２の軸方向に螺旋状に連続して形成している。具体的な切削工法については後述する。
【００３２】
図８は、現像スリーブ１３２の図４におけるＺ方向から見た円周方向の断面図であり、現像スリーブ１３２の表面１３２ａに対する切削バイトの切り込み軌跡を示している。
図８では、切削バイトによる３周分（３列分）の切込み軌跡を示している。１番目の列Ｌ１は実線で、２番目の列Ｌ２は破線で、３番目の列Ｌ３は一点鎖線で示している。
各列は円周方向に周期がずれている。
【００３３】
各列の切り込み軌跡は、現像スリーブ１３２の円周長より十分周期の短い曲線(例えば正弦波）が連続した形状となっている。
円周方向において、凹凸形状の連なり（連続曲線）の終点と始点とは必ずしも重ならなくても良い。換言すれば、凹凸形状の連なりの周期が現像スリーブの円周の整数倍でなくても良い。
図８に示す断面の曲線は、現像スリーブ１３２の表面の深さ要素となる。つまり円周上で深さが連続的に変動していることを示す。切削バイトの切り込み深さｄは、１０〜５０μｍの範囲である。
また、上記連続曲線は軸方向側にも現像スリーブ１３２の全長に対して十分短い幅を有しており、軸方向に向かって螺旋状に形成されており、凹凸形状が軸方向全長に亘り連続したパターンとなっている。
【００３４】
また、凹凸形状の連なりの螺旋ピッチが、凹凸形状の軸方向の幅よりも小さく設定されているため、現像スリーブ１３２の表面における凹凸形状の面積率を高めることができる。
現像スリーブ１３２の表面上の形状として、図６に示すように、深い箇所と浅い箇所とが連なった凹凸形状が円周方向と軸方向で視覚的に確認できる。
【００３５】
図９は、凹凸形状の周期性のずれと切り込み深さとの関係を示す図で、（ａ）は凹凸形状の連なりの平面図、（ｂ）は（ａ）のＳ−Ｓ’線における各列での切削バイト２０の切り込み深さを示す図である。
切削バイト２０ａ、２０ｂ、２０ｃ、２０ｄ、２０ｅは、それぞれ列Ｌ１、Ｌ２、Ｌ３、Ｌ４、Ｌ５に対応している。
Ｓ−Ｓ’線の位置において、列Ｌ１では凸部４に位置し、切削バイト２０の切り込み量は浅い。列Ｌ２では凹部２の最深部の手前近傍に位置し、切削バイト２０の切り込み量は深い。列Ｌ３では凹部２の最深部に位置し、切削バイト２０の切り込み量は最も深い。
列Ｌ４では列Ｌ１と同様に凸部４に位置し、切削バイト２０の切り込み量は浅い。列Ｌ５では凹部２の最深部に位置し、切削バイト２０の切り込み量は最も深い。
【００３６】
円周方向に凹凸形状が無い場合は、図１０に示すように、円周方向のどの位置においても切削バイト２０の切込み量は各列において同じとなり、各列は直線的な溝形状となる。
現像ローラの回転時に現像剤を搬送するにあたって、現像剤を保持できるような凹凸が回転方向に存在しないため、現像剤の搬送能力が劣る。
【００３７】
図９（ａ）に示すように、凹凸形状の軸方向の長さｗは自由に設定できるが、現像剤搬送性を考慮すると細かく密集した状態の方が好ましく、１．０ｍｍ以下で、円周方向に周期的なうねりを持ちながら変動しているのが望ましい。
円周方向の周波数（凹凸数）は自由に設定できるが、現像剤搬送性と加工精度を考慮すると３０〜３００個(周期)程度が妥当である。
周期的なうねりの変動は、隣り合う凹凸形状の列との干渉の仕方で、隣り合う曲線形状が干渉部分で極端な凸形状を有し、数列単位で見ると極大値を持ったランダムな非曲線のパターンとなる（図９（ａ））。
現像剤の搬送性と現像スリーブ１３２の表面の加工性を考慮すると、凹凸形状の深さは、０．０３ｍｍ〜０．１５ｍｍ程度が望ましい。
【００３８】
一般に、凹凸形状の深さが深いほど現像剤の搬送性能は向上するが、溝を外表面に設けた従来の現像スリーブと同様に周期的なピッチムラが発生しやすくなる。
一方、凹凸形状の深さが浅いほどピッチムラは発生しにくくなるが現像剤の搬送性能が低下する。
特に近年では、小粒径のトナーや磁性キャリアの画像形成技術の進歩及び近接現像の画像形成技術の進歩等により画像再現性が向上しているため、ピッチムラが発生しやすくなっている。
【００３９】
特に、平均粒径が例えば８．５μｍ以下の小粒径トナーを用いた現像方式では、画像再現性が良いため、現像に使われる現像剤量の変動に敏感になり、ピッチムラが目立って発生し易くなっている。
このため、特許文献１の現像スリーブを用いても、ピッチムラが発生することがあった。
この原因について検討したところ、図３１及び図３２に示すように、現像スリーブ２００と感光体ドラム２０１とが対向する現像領域Ｄにおいて、溝２０２が形成されていない現像スリーブ２００の外表面では現像剤２０３がスリップして現像剤２０３の量が減少し、画像濃度が低下する。
一般に、現像剤２０３は、現像スリーブ２００と感光体ドラム２０１とが対向する現像領域Ｄにおいて移動するが、十分な画像濃度が得られるよう大量の現像剤２０３を現像領域Ｄへ搬送する必要がある。
そのため、通常、現像スリーブ２００は感光体ドラム２０１より１．１〜２．５倍の表面速度で回転駆動される。
【００４０】
現像剤２０３が高速で現像領域Ｄを通過する際、相対的に低速な感光体ドラム２０１との摩擦は負荷抵抗となり、溝２０２が設けられていない部分での現像スリーブ２００の外表面では、図３１に示すように、現像剤２０３のスリップや汲み上げ量不足が発生してしまう。
このため、現像領域Ｄでは、現像スリーブ２００の回転方向上流側に比べて、下流側の現像剤量が少なくなってしまう。
【００４１】
一方、図３２に示すように、現像領域Ｄ内を溝が通過する間は十分な搬送力が得られるためスリップの発生が無く汲み上げ量も十分である。
つまり、現像領域Ｄ内を通過する溝２０２の周期にて、スリップ発生の有無により現像剤２０３の量が変動し、画像濃度差によるピッチムラが発生してしまう。
そこで、本実施形態では、凹凸形状の深さを浅めに設定し、凹凸形状の分布密度を増やすことで現像剤搬送性能とピッチムラ防止の両立を図っている。
【００４２】
図２に示すように、ドクタブレード１１６は、Ｌ型形状で、現像装置１１３の感光体ドラム１０８寄りの端部において、現像スリーブ１３２の上方に設けられている。現像スリーブ１３２は反時計回り方向に回転する。
ドクタブレード１１６は、現像スリーブ１３２の外表面と間隔をあけた状態で、現像ケース１２５に取り付けられている。
ドクタブレード１１６は、所望の厚さを越える現像スリーブ１３２の外表面上の現像剤１２６を現像剤収容部１１７内にそぎ落として、所望の厚さにする。
現像装置１１３は、現像剤供給部１１４でトナーと磁性キャリアとを十分に攪拌し、この攪拌した現像剤１２６を固定磁極により現像スリーブ１３２の外表面に吸着する。
現像スリーブ１３２が回転して、複数の固定磁極により吸着した現像剤１２６を現像領域１３１に向かって搬送する。
【００４３】
現像領域１３１に搬送された現像剤により感光体ドラム１０８上の静電潜像が現像され、トナー像が形成される。
現像済みの現像剤は現像剤収容部１１７に向かって離脱させられる。現像剤収容部１１７内に収容された現像済みの現像剤は、再度、第２空間１２１内で他の現像剤と十分に攪拌されて感光体ドラム１０８の静電潜像の現像に用いられる。
現像剤供給部１１４におけるトナー濃度が低下したことが後述するトナー濃度センサで検知されると、第１空間１２０にトナーが補給される。
【００４４】
上記構成の画像形成装置１０１の画像形成動作を説明する。
まず、感光体ドラム１０８が回転し、感光体ドラム１０８の外表面が一様に帯電ローラ１０９により−７００Ｖに帯電される。
感光体ドラム１０８の外表面にレーザ光が照射されて露光され、これにより画像部分が−１５０Ｖに減衰し、感光体ドラム１０８の外表面に静電潜像が形成される。
静電潜像が現像領域１３１に位置付けられると、静電潜像に−５５０Ｖの現像バイアス電圧が印加され、現像スリーブ１３２の外表面に吸着した現像剤が感光体ドラム１０８の外表面に吸着される。
これにより静電潜像が現像され、トナー像が感光体ドラム１０８の外表面に形成される。
【００４５】
給紙ユニット１０３の給紙ローラ１２４などにより搬送されてきた記録紙１０７が、各プロセスカートリッジ１０６の感光体ドラム１０８と転写ユニット１０４の搬送ベルト１２９との間に位置して、感光体ドラム１０８の外表面上に形成されたトナー像が記録紙１０７に転写される。
トナー像が転写された記録紙１０７は定着ユニット１０５で記録紙１０７にトナー像を定着される。
こうして、記録紙１０７にカラー画像が形成される。
【００４６】
記録紙１０７に転写されずに感光体ドラム１０８上に残ったトナーはクリーニングブレード１１２によって回収される。残留トナーを除去された感光体ドラム１０８は除電ランプで初期化され、次回の画像形成プロセスに供される。
画像形成装置１０１では、環境変動や経時変動による画質の変動を抑えるために、プロセスコントロールを行っている。
【００４７】
具体的には、まず現像装置１１３における現像能力を検出する。例えば、あるトナーパターンの画像を、現像バイアス電圧を一定にした条件下で感光体ドラム１０８上に形成し、その画像濃度を図示しない光学センサで検出し、濃度変化から現像能力を把握する。
現像能力が所定の目標現像能力になるように、トナー濃度の目標値を変更することで、画質を一定に保つことができる。
例えば、光学センサで検出したトナーパターンの画像濃度が、目標現像濃度よりも薄い場合には、トナー濃度を高くするように、図示しない制御手段としてのＣＰＵが撹拌スクリュ１１８を回転駆動するモータの駆動回路を制御する。
【００４８】
光学センサで検出したトナーパターンの画像濃度が、目標現像濃度よりも薄い場合には、トナー濃度を高くするように、ＣＰＵが前述したモータの駆動回路を制御する。ここで、上記トナー濃度は図示しないトナー濃度センサで検知される。
なお、感光体ドラム１０８上に形成されるトナーパターンの画像濃度は、現像スリーブ１３２による画像濃度周期ムラの影響で多少変動することがある。
【００４９】
現像スリーブ１３２は、図１１乃至図１４に示す表面加工装置１によって外表面に凹凸形状を形成される。
表面加工装置１は、図１１に示すように、ベース３と、現像スリーブ１３２を保持する保持部３０と、回転駆動部としてのモータ３１と、現像スリーブ１３２に切削加工を行う工具６と、工具移動部５と、制御手段としての制御装置２５（図１３）とを備えている。
ベース３は、平板状に形成されて、工場のフロアやテーブル上等に設置される。ベース３の上面は、水平方向と平行に保たれる。ベース３の平面形状は、矩形状に形成されている。
保持部３０は、固定保持部７と、スライド保持部８とを備えている。固定保持部７は、ベース３の長手方向の一端部から立設した固定柱９と、固定柱９の上端部に設けられた回転チャック１０とを備えている。
【００５０】
回転チャック１０は、厚手の円板状に形成され、固定柱９の上端部にその中心を回転中心として回転自在に支持されている。回転チャック１０の回転中心は、ベース３の表面と平行に配置されており、回転チャック１０の中心部には円柱状のチャックピン１１が設けられている。
チャックピン１１は、回転チャック１０と同軸に配置されている。
スライド保持部８は、スライダ１２と、スライド柱１３と、モータ３１と、回転チャック１４とを備えている。
スライダ１２は、ベース３の表面、すなわち回転チャック１０のチャックピン１１の軸芯に沿ってスライド自在に設けられている。スライダ１２は、回転チャック１０のチャックピン１１の軸芯方向の位置が適宜固定される構成となっている。スライド柱１３は、スライダ１２の上面に設けられている。
【００５１】
回転チャック１４は、厚手の円板状に形成され、スライド柱１３の上端部に取り付けられたモータ３１の出力軸に取り付けられている。
回転チャック１４の回転中心は、回転チャック１０のチャックピン１１と同軸となるように配置されている。回転チャック１４の中心部には円柱状のチャックピン１５が設けられている。チャックピン１５は、回転チャック１４と同軸上に配置されている。
【００５２】
保持部３０には、スライド保持部８が固定保持部７から離れた状態で、チャックピン１１、１５間に凹凸形状が形成される前の現像スリーブ１３２が位置付けられる。
スライド保持部８が固定保持部７に近づけられて、チャックピン１１、１５の先端が現像スリーブ１３２の端部内に進入し、チャックピン１１、１５間に現像スリーブ１３２を挟んだ状態で、スライダ１２が固定される。こうして、保持部３０に現像スリーブ１３２が保持される。
モータ３１の回転により回転チャック１４がその中心回りに回転駆動され、チャックピン１１、１５間に挟まれた現像スリーブ１３２がその軸芯回りに回転する。
【００５３】
工具移動部５は、リニアガイド１６と、移動用アクチュエータ１９（図１３）とを備えている。リニアガイド１６は、レール１７と、スライダ１８とを備えている。レール１７は、ベース３上に設置されている。
レール１７は、直線状に形成されているとともに、その長手方向がベース３の長手方向、チャックピン１１、１５間に挟まれた現像スリーブ１３２の軸芯と平行に配されている。
スライダ１８は、レール１７に該レール１７の長手方向に沿って移動自在に支持されている。移動用アクチュエータ１９は、ベース３に取り付けられているとともに、スライダ１８をベース３の長手方向、すなわちチャックピン１１、１５間に挟まれた現像スリーブ１３２の軸芯に沿って、スライド移動させる。
【００５４】
図１２に示すように、工具６は、現像スリーブ１３２の外径面を切削する切削バイト２０と、切削バイト２０を保持する刃物台２１と、刃物台２１を現像スリーブ１３２の軸方向と直交する方向に移動させる一軸方向のスライド台２２とを有している。
また、工具６は、スライド台２２を現像スリーブ１３２の軸方向と直交する方向において往復移動させる振動用アクチュエータ２３とを有している。スライド台２２と振動用アクチュエータ２３はブラケット２４で接続されている。
スライド台２２は無負荷では静止固定し、現像スリーブ１３２の軸方向と直交する方向に力が作用するとその作用方向に移動し、これに伴って刃物台２１も移動する。
振動用アクチュエータ２３としては、ピエゾアクチュエータ、水晶素子、リニアモータ、または回転式モータにカム機構を設置して直線往復運動に変換する方式等を採用することができる。
【００５５】
図１３に示すように、制御装置２５は、例えばＰＣ（パーソナルコンピュータ）２６からのプログラムによりファンクションジェネレータ２７で例えば図１４に示すような正弦波形の切削パターンを出力させる。
これにより、電源ドライバ２７をアンプ＋位置制御装置として機能させ、振動用アクチュエータ２３を駆動する。
ピエゾアクチュエータ、水晶素子、リニアモータなどの直動アクチュエータに対しては、振幅制御：バイアス電圧、周波数：電圧周期を制御因子とする。
カム機構の際には、振幅制御：カム形状、周波数：モータ印加電圧(モータ回転数)とする。
振動用アクチュエータを備えたスライド台を用いず、ＮＣ加工機の切込み方向の駆動制御装置で切込みを制御する方法も考えられる。
【００５６】
切削バイト２０としては、先端に微小な湾曲形状を有した片刃バイト、剣バイトなどの外径切削用の工具を使用する。
切削バイト２０の材質は、ダイヤモンド(単結晶/多結晶)、サーメット、ｃＢＮ、超硬、ハイスなど被削材によって選定するが、大別して非鉄金属(アルミ、銅)の場合はダイヤモンド、鋼材の場合は超硬を使用するのが一般的である。
本実施形態では、図１５（ｃ）に示すように、切削バイト２０として先端部２０ａの形状の半径（ノーズ半径）ｒが０．８〜３．０ｍｍのものを選定した。
図１５（ａ）に示すように、すくい角θ１は０〜１０°、にげ角θ２は５°以上に設定し、刃付け部は最低０．３ｍｍ切り込めるように設定した。
【００５７】
現像スリーブ１３２の表面に対する切削バイト２０の切込み量と、現像スリーブ１３２の長手方向の送り速度が一定な場合は、図１０で示したように、切削バイト２０の先端部２０ａの形状に倣って、均一な断面形状が軸方向に螺旋状に形成される。
切削面の面粗さは切削バイト２０の先端形状と送り速度とによって設定できる。制御装置２５は、周知のＲＡＭ（Random Access Memory）、ＲＯＭ（Read Only Memory）、ＣＰＵ（Central processing Unit）などを備えたコンピュータである。
制御装置２５は、モータ３１と、工具移動部５の移動用アクチュエータ１９と、切削バイト２０を往復移動させる振動用アクチュエータ２３と、ＰＣ２６等と接続されており、これらを制御して、表面加工装置１全体の制御を司る。
【００５８】
制御装置２５は、現像スリーブ１３２の外表面に凹凸形状を形成する際には、モータ３１で現像スリーブ１３２をその軸芯回りに回転させ、第１段階の切込み位置を設定する。
第２段階として、振動用アクチュエータ２３を制御して切削バイト２０往復変動（振動）させた状態で移動用アクチュエータ１９により工具６を現像スリーブ１３２の軸芯（軸方向）に沿って移動させる。
このように現像スリーブの回転と切削バイトの切込み変動と軸方向の移動（工具送り速度）とにより、現像スリーブ１３２の外表面に切削加工を施して、凹凸形状を多数形成する。
【００５９】
このとき、切削バイト２０の先端形状の寸法と工具送り速度とにより、現像スリーブ１３２の軸方向の凹凸形状の概要が決まる。
切削バイト２０の先端形状、工具送り速度が共に小さいと所謂切削ピッチが小さくなり、凹凸も細かくなる。また、先端形状、工具送り速度が共に大きいと凹凸が滑らかで密集度は小さくなる。
更に切削バイト２０の切込み深さと振動の周期、現像スリーブ１３２の回転数により、円周上の凹凸形状の概要が決まる。
現像スリーブ１３２の回転数(周期)より、切削バイト２０の振動周期を大きくすることで、より密で凹凸差が大きい形状が形成される。
【００６０】
切削バイト２０の振動周期と現像スリーブ１３２の回転数(周波数)の比を以下に定義する。
Ｆ１：切削バイト２０の振動周期（Ｈｚ）
Ｎ２：現像スリーブ１３２の回転数（ｒｐｍ）
Ｆ２：現像スリーブ１３２の回転周期＝Ｎ２／６０(Ｈｚ)
周期比＝Ｆ1／Ｆ２
【００６１】
周期比は整数であると、隣り合う凹凸形状において、凸が軸方向に連続して形成されるため、ピッチムラが生じやすい。凹凸形状を現像スリーブ１３２の軸方向にランダムに配置するためには、整数で割り切れない比率が望ましい。
制御装置２５は、これらの各要件を適宜変更することで、凹凸形状の大きさや密度を任意に変更して、現像スリーブ１３２の外表面を加工することができる。
制御装置２５には、キーボードなどの各種の入力装置や、ディスプレイなどの各種の表示装置が接続される。
【００６２】
前述した構成の表面加工装置１を用いて現像スリーブ１３２の外表面に切削加工を施して、現像スリーブ１３２を製造する工程を以下説明する。
現像スリーブ１３２をチャックピン１１、１５に保持し、ワークとしての現像スリーブ１３２を回転させる。工具６に取付けた切削バイト２０を制御装置２５で振動させながら、現像スリーブ１３２の切込み位置まで移動させる。
この際、ワーク回転数Ｎ２は２６ｒｐｍ(Ｆ２：０．４３Ｈｚ)、切削バイト２０の振動数Ｆ１は５０Ｈｚの正弦波に設定し、周期比は１１５．４となった。切削バイト２０の振幅は４５μｍに設定した。切削バイト２０は超硬バイトを用い、バイトの刃先半径ｒは０．８ｍｍ、工具送り速度は０．３ｍｍ／ｒｅｖに設定した。
【００６３】
この結果、円周方向には約１１５個の凹凸形状が形成され、周期比が整数でないことより軸方向で隣り合う凹凸も周期ずれのため凹凸周期が重ならず、図５、図６で示したように軸方向にランダムな形状が形成された。
本実施形態によれば、現像スリーブ１３２の外表面に従来のサンドブラスト加工により形成されるような突起状の凸部が無く、凹凸形状が切削加工によって旋削された形状である。
このため、現像剤の摩擦による突起部の脱落がなく、経年変化によっても、凹凸形状が摩耗しにくくなり、よって、経年変化による現像剤の搬送量の低下を抑制できる。
また、現像スリーブ１３２に形成された凹凸形状の凹部に現像剤の多くが溜まり搬送されるが、凹凸が周方向にも軸方向にもランダムに配置されているため、現像スリーブ１３２の全面に亘り均一にムラ無く凹凸形状が配置されている。
【００６４】
特許文献１では、上述のように、現像スリーブの表面に、現像剤を保持する円形又は楕円形状の凹みを互いに重ならないように、規則的に又は不規則的に多数形成して現像剤のスリップを抑制する構成が開示されている。
しかしながら、如何に凹みの数を密にしても、各凹みは現像スリーブの表面に独立して形成されているため、少なからずピッチムラ（濃度ムラ）が生じる。
特許文献１の方法では、如何に凹みの数を密にしても、現像スリーブの表面積に対する凹みの面積率は５０〜６５％程度が限界である。
これに対し、本実施形態では１００％が可能であり、特許文献１に記載の方法に比べて現像剤の搬送均一性を向上させることができる。
【００６５】
現像スリーブ１３２の表面に凹凸形状を形成した後、高硬度で低摩擦の保護膜を形成してもよい。このようにすれば、現像剤に対する耐摩耗性が向上し、現像スリーブ１３２の経時劣化を抑制することができる。
【００６６】
現像装置１１３、プロセスカートリッジ１０６Ｙ、１０６Ｍ、１０６Ｃ、１０６Ｋ及び画像形成装置１０１は、前述した現像ローラ１１５を備えているので、経年変化による現像剤の搬送量の低下を抑制できるとともに、画像のムラが生じることを防止できる。
本実施形態では、凹凸形状の現像スリーブ１３２の周方向の断面を円弧（正弦波形）としたが、矩形形状にしても良い。
切削バイト２０の駆動制御を矩形波にすることで凹凸形状が鋭角になり、搬送性が増加する。しかし、切込み深さや振動数が大きくなると切削バイト２０の追従性が劣り、同一な凹凸形状が得られにくくなる。
よって、正弦波が最も安定した制御波形であるが、現像スリーブに対する機能によって、矩形波系、ランプ波形（のこぎり波形）、非対称曲線などバリエーションが多いことも本発明の利点である。
【００６７】
本実施形態では、上記のように、現像スリーブ１３２の両端を保持し、外径面の切削加工を行うため、回転軸に対する現像スリーブ１３２の同軸性が精度良く仕上げられる。
これは加工前ワークの振れ精度（同軸度ないし真円度）に関わらず、常に良好な回転振れ精度の現像スリーブ１３２を提供することができる。
すなわち、図１６に示すように、現像スリーブ１３２の外径面１３２ａの真円度が無くても、切削バイト２０による切削が現像スリーブ１３２の外径面全体に及ぶように凹凸形状を形成すれば、加工後の外径面１３２ａ’は振れ精度の高い表面となる。
図１６において、ハッチングで示す部分は切削バイト２０により切削された部分を示している。
【００６８】
現像スリーブ１３２の外径面全体を切削しない場合には、現像スリーブ１３２の表面の一部が凸部４を構成する。この場合、凸部４において円周方向に切削しない領域（幅）が存在していてもよい。
【００６９】
図１７に示すように、現像ローラ１１５はドクタブレード１１６との隙間（ドクタギャップ）ｇを一定に回転しなければ、現像剤１２６の規制量（搬送量）が変動する。
そのため、現像スリーブ１３２の振れ精度は重要機能である。ブラスト工法ではブラスト処理でスリーブの曲がりが発生するが切削工法ではその不具合がない。
【００７０】
ドクタギャップｇは現像装置の性能にもよるが、０．２〜０．６ｍｍ（中心約０．４ｍｍ）を狙うことが多い。よって、現像ローラ１１５の振れ精度が０．０３ｍｍの場合には約８％のギャップ回転偏差が生じる。
現像ローラの回転の振れによっても、回転周期でドクタブレードと現像ローラ外表面との間隔が変動し、トナー供給量の周期変動が生じて画像においては通紙方向の周期的な濃度ムラが生じる。この現象はバンディングと呼ばれている。
本実施形態では振れ精度０．０１ｍｍ以下を狙い、ギャップ回転偏差３％以下にし、現像剤の搬送量の安定化、バンディング低減を実現した。更に、感光体ドラム１０８との隙間変動も小さくできることより、現像ムラに関して利点がある。
【００７１】
本実施形態では、プロセスカートリッジ１０６Ｙ、１０６Ｍ、１０６Ｃ、１０６Ｋは、カートリッジケース１１１と帯電ローラ１０９と感光体ドラム１０８とクリーニングブレード１１２と現像装置１１３とを備えているがこれに限定されない。
プロセスカートリッジ１０６Ｙ、１０６Ｍ、１０６Ｃ、１０６Ｋは少なくとも現像装置１１３を備えていれば良い。
また、現像装置１１３は、プロセスカートリッジ１０６を介さずに直接装置本体１０２に備えられていても良い。
【００７２】
本発明者らは、以下に示す構成の異なる複数の現像スリーブを作製して、上述した画像形成装置に組み込み、本発明の効果を確認するための評価実験を実施した。
【００７３】
［実施例１］
外径が２５ｍｍの円筒状のステンレス管の表面に、図１１に示す表面加工装置を用い、ノーズ半径ｒが０．８ｍｍの超硬バイトを用いて外径を加工した。ステンレス管は両軸保持後、２６ｒｐｍの回転数で回転させた。
切削バイト２０の振動は、全振幅４５μｍ／周波数５０Ｈｚの正弦波をピエゾアクチュエータで駆動制御した。
切削バイト２０の切削送りは０．３ｍｍ／ｒｅｖに設定し、全長約３００ｍｍに亘り切削油を供給しながら加工した。
その結果、図５、６に示すような凹凸形状が現像スリーブ１３２の全面に形成された。
【００７４】
［実施例２］
実施例１と同様の構成で、ステンレス管は両軸保持後、１０５ｒｐｍの回転数で回転させた。切削バイト２０の振動は、全振幅４５μｍ／周波数８０Ｈｚの正弦波をピエゾアクチュエータで駆動制御した。
切削バイト２０の送りは０．４ｍｍ／ｒｅｖに設定し、円周方向に約４５個の凹凸形状を形成した。その結果、図１８、図１９に示すような、周期が長く、軸方向にも複雑な凹凸形状を形成できた。
【００７５】
図２０は、図１８の一部を分かりやすく表示した平面図である。
図７で説明したのと同様に、現像スリーブ１３２の表面には、凹部２と凸部４とからなる凹凸形状が円周方向であるＹ方向に連続して形成されている。
凹凸形状の連なり（列）は、現像スリーブ１３２の軸方向に直交するＹ０方向に対して若干角度を有するＹ１方向に形成されており、これにより凹凸形状の連なりは軸方向には螺旋状に繋がっている。
【００７６】
［実施例３］
実施例１において、ステンレス管を外径が同じアルミニウム管に変更し、図５、６に示したのと同様の凹凸形状を得た後、ＤＬＣ（ダイヤモンドライクカーボン）硬質膜を蒸着により約０．５μｍの膜厚で被覆した。
【００７７】
［比較例１］
実施例１と同様の円筒状のステンレス管の外表面に、軸方向全長に亘り深さ０．２ｍｍのＶ字型の溝を周方向に間隔をあけて５０本、全長約３００ｍｍ亘って形成した。
［比較例２］
実施例１と同様の円筒状のステンレス管の外表面に、サンドブラスト工法で高さが１０〜２０μｍの微小な凹凸を形成した。
【００７８】
［比較例３］
図２８に示すように、実施例１と同様の円筒状のステンレス管の外表面に、長さ約１ｍｍ、幅約０．３ｍｍ、深さ約４０μｍの窪み１３９を規則的に円周方向に約１５０個、軸方向に約６００個形成した。
窪み１３９はエンドミル刃で旋削した。現像スリーブの全表面積に対する全窪み面積（累計）は約５５％であった。この窪みの配置形状は特許文献１の図４と同様である。
【００７９】
実施例１〜３、比較例１〜３を上述した画像形成装置１０１に組み込んで、ベタ画像を記録紙上に形成した。
画像形成に用いた現像剤は、フェライトを芯材として帯電調整剤を含有した樹脂コート層を有する平均体積粒径が３５μｍの磁性粒子と、乳化重合法により製造され、ポリエステルを主成分として帯電制御剤、色剤を混合し、その周りにシリカや酸化チタン等を外添した、平均体積粒径が５μｍのトナーと、により構成されている。
トナー濃度は７ｗｔ％に調整してヘンシェルミキサーで混合したものを用いた。
また、画像形成のプロセス条件は、感光体表面電位を−７００Ｖ、露光電位を−１５０Ｖ、現像バイアス電圧を−５５０Ｖとした。
【００８０】
各現像スリーブについてベタ画像を１０枚形成し、現像スリーブの最初の一周に相当する領域（第１領域）について分光濃度計による濃度測定を３箇所行い、現像スリーブの最初の一周以降に相当する領域（第２領域）について分光濃度計による濃度測定を３箇所行った。
第１領域と第２領域とについて測定した濃度を用い、以下に示すように各評価を行った。
【００８１】
（画像濃度評価）
第１領域及び第２領域について測定した濃度の平均値（すなわち、第１領域と第２領域とを合わせた濃度の平均値）を算出して、この平均値について以下の評価基準に基づき評価を行った。 
○：測定した濃度の平均値が、基準値（１．３）以上である。
×：測定した濃度の平均値が、基準値（１．３）未満である。
【００８２】
（濃淡ムラ評価）
第１領域について測定した濃度の平均値と、第２領域について測定した濃度の平均値との差分値を算出して、この差分値について以下の評価基準に基づき評価を行った。 
○：濃度の平均値の差分値が、基準値（０．０３）未満である。
×：濃度の平均値の差分値が、基準値（０．０３）以上である。
【００８３】
（ピッチムラ評価）
１０枚のベタ画像を目視により確認して、以下の評価基準に基づき評価を行った。
○：ピッチムラが確認されたベタ画像がない。
×：ピッチムラが確認されたベタ画像が１枚以上あった。
【００８４】
（ピッチムラ評価：現像ローラ回転周期ピッチ）
１０枚のベタ画像を目視により確認して、以下の評価基準に基づき評価を行った。
○：現像ローラ回転周期ピッチムラが確認されたベタ画像がない。
×：現像ローラ回転周期ピッチムラが確認されたベタ画像が１枚以上あった。
【００８５】
評価結果を表１に示す。
【００８６】
【表１】
2016105162.tif 000003
【００８７】
表１に示すように、実施例１〜３において、画像濃度、濃淡ムラ、ピッチムラにいて良好な結果が得られた。
現像剤汲上げ量も狙い値の５０ｍｇ／ｃｍ２にドクタギャップを設定した結果、実施例では比較例よりドクタギャップを狭く設定することができた。
ドクタギャップを狭く設定できることで、ドクタギャップ通過時の現像剤に作用する圧力（規制力）が低減し、現像剤の劣化抑制や飛散の防止にメリットがある。
特に比較例１〜３のピッチムラは、現像ローラ回転周期に起因するピッチのムラが顕著に見られ、振れ（同軸度）精度の最も大きい比較例２でのピッチムラのレベルが最も悪い結果となった。
【００８８】
上記実施例及び比較例で使用した現像スリーブ用の素管は、引き抜き冷間加工後、両端部を仕上げ、外径部をセンタレス研磨で仕上げた素管のため、素管の曲がり≒振れ(同軸度)精度については、ばらつきが発生する。
このため、比較例１〜３の工法では素管の振れ精度に倣うか若しくは、精度が悪化（曲げ変形）するが、本実施例では全面を切削加工するため、振れ精度は加工前の素管に対して精度良く仕上げられ、ピッチムラ評価に寄与したと考えられる。
また、１００Ｋ（１０万）枚印刷後の濃度は、比較例２では表面の凹凸が磨耗し、現像剤汲上げ量が減少したことが挙げられる。
【００８９】
図２１乃至図２７に基づいて第２の実施形態を説明する。上記実施形態と同一部分は同一符号で示し、既に説明した構成上及び機能上の説明は適宜省略する。なお、以下では凹部や凹み、窪みを統一して「窪み」と記載する。
【００９０】
上述したように、図２８で示した窪み１３９の深さが深いほど現像剤の搬送性能は向上するが、溝を外表面に設けた従来の現像スリーブと同様に周期的なピッチムラが発生しやすくなる。一方、窪み１３９の深さが浅いほどピッチムラは発生しにくくなるが、現像剤の搬送性能が低下する。
特に近年では、小粒径のトナーや磁性キャリアの画像形成技術の進歩及び近接現像の画像形成技術の進歩等により画像再現性が向上しているため、ピッチムラが発生しやすくなっている。
【００９１】
本実施形態では、窪みの深さを浅めに設定し、且つ、図２３（ａ）に示すように、配列周期が異なる２種類以上の窪み、例えば窪み４０Ａ、窪み４０Ｂを形成することにより、窪みの総和、分布密度を増やすことで現像剤の搬送性向上とピッチムラ抑制との両立を図っている。
２種類以上の窪みとは、現像スリーブの表面における開口面積、軸方向の縦幅、円周方向の横幅、径方向の深さ及び軸方向に対する傾斜角度のうち、少なくとも１つが異なっている窪みをいう。
【００９２】
まず、図２１に基づいて、配列周期が異なる２種類以上の窪みを形成するための表面加工装置１’の構成を説明する。図１１で説明した表面加工装置１とは工具６が異なっている。図２１（ａ）に示すように、表面加工装置１’における工具６’には、スライダ１８の上面に固定された工具本体３２と、工具本体３２の上端部に固定された工具回転用駆動源としてのモータ３３と、モータ３３の出力軸３４に取り付けられた回転工具としてのエンドミル３５と、が備えられている。
モータ３３は、図２１（ｂ）に示すように、出力軸３４が工具本体３２の上端部からチャックピン１１、１５間に挟まれた現像スリーブ１３２に向かって突出した状態に配置されている。
モータ３３の出力軸３４は、その軸芯がベース３の表面と平行で且つチャックピン１１、１５間に挟まれた現像スリーブ１３２の軸芯と交差（図示例では直交）する状態で配置されている。
【００９３】
エンドミル３５は、全体として円柱状に形成され、モータ３３の出力軸３４の先端部に取り付けられている。このため、エンドミル３５は、その軸芯がベース３の表面と平行で且つチャックピン１１、１５間に挟まれた現像スリーブ１３２の軸芯と交差（図示例では直交）する状態で配置されている。また、エンドミル３５は、工具本体３２の上端部からチャックピン１１、１５間に挟まれた現像スリーブ１３２に向かって突出した状態に配置されている。
【００９４】
エンドミル３５は、図２１（ｃ）に示すように、円柱状の本体部３６と、複数の切削刃３７とを備えている。本体部３６は、モータ３３の出力軸３４に取り付けられる。切削刃３７は、本体部３６の現像スリーブ１３２寄りの先端部に周方向に間隔をあけて設けられている。切削刃３７は、図２１（ｄ）に示すように、本体部３６の先端部の外縁よりもエンドミル３５の外周方向に突出して設けられ、螺旋状に延びるように形成されている。
エンドミル３５の切削刃３７の先端の外縁形状３８の断面は、図２１（ｃ）に示すように、鋭角をなすように形成されている。
【００９５】
ここではエンドミル３５の切削刃３７の数を２枚として表示しているが、実際には図２１（ｅ）に示すように、４枚構造のものを使用している。
モータ３３が回転するとエンドミル３５がその軸芯回りに回転し、現像スリーブ１３２の外表面に窪みが形成される。
【００９６】
図２２に示すように、本実施形態における制御装置３９は制御装置２５と同様のコンピュータで、工具移動部５の移動用アクチュエータ１９と、工具回転用駆動源としてのモータ３３などと接続されており、これらを制御して、表面処理装置１’全体の制御を司る。
制御装置３９は、現像スリーブ１３２の外表面に窪みを多数形成する際には、モータ３１で現像スリーブ１３２をその軸芯回りに回転させて、モータ３３でエンドミル３５をその軸芯回りに回転させながら、移動用アクチュエータ１９により工具を現像スリーブ１３２の軸芯（長手方向）に沿って移動させる。
エンドミル３５の回転に伴い切削刃３７が断続的に現像スリーブ１３２の外表面に切削加工を施し、窪みが多数形成される。
【００９７】
このとき、切削刃３７の外縁の曲率半径により現像スリーブ１３２の長手方向の窪みの円弧の曲率半径を定め、切削刃３７の切り込み量により窪みの深さを定める。工具６’の移動速度により窪みの現像スリーブ１３２の長手方向の間隔を定める。
現像スリーブ１３２の外表面に周方向に設ける窪みの数をｎ、モータ３１の回転数即ち現像スリーブ１３２の回転数をＮ１、エンドミル３５の切削刃３７の数をｍ、エンドミル３５の回転数をＮ２とすると、制御装置３９は、以下の式１を満たすように、モータ３１と移動用アクチュエータ１９と、モータ３３を制御する。
Ｎ２＝Ｎ１×〔ｍ／[（ｎ／２）−０．５]〕・・・式１
【００９８】
制御装置３９は、これらの各要件を適宜変更することで、窪みの大きさや密度を任意に変更して、現像スリーブ１３２の外表面を加工することができる。
さらに、制御装置３９には、キーボードなどの各種の入力装置や、ディスプレイなどの各種の表示装置が接続している。
【００９９】
次に、表面処理装置１’を用いて現像スリーブ１３２の外表面に切削加工を施して、窪みを形成する工程を、以下に説明する。
まず、制御装置３９に入力装置から現像スリーブ１３２の品番などを入力する。そして、工具６’のエンドミル３５を加工開始位置、すなわち現像スリーブ１３２の一方の端部に位置付けた後、窪みが形成される前の現像スリーブ１３２を保持部３０に保持する。このとき、現像スリーブ１３２とチャックピン１１、１５などが同軸になる。
【０１００】
入力装置から作業開始命令を入力すると、前述した式１に基づいて、制御装置３９が、モータ３１と、移動用アクチュエータ１９と、モータ３３を駆動する。軸芯回りに回転するエンドミル３５の切削刃３７が、断続的に現像スリーブ１３２の外表面に切削加工を施すことで、窪みが形成される。
モータ３１と、移動用アクチュエータ１９と、モータ３３が同時に駆動されるので、軸芯回りに回転されるエンドミル３５によって現像スリーブ１３２の外表面に切削加工が施されて窪みが形成される際に、エンドミル３５と交差する状態に配置された現像スリーブ１３２がその軸芯回りに回転されながら、エンドミル３５と現像スリーブ１３２とが現像スリーブ１３２の長手方向に相対的に移動されて、窪みが形成される。
【０１０１】
エンドミル３５が、現像スリーブ１３２の加工終了位置、すなわち現像スリーブ１３２の他方の端部に位置付けられて切削加工が終了すると、モータ３１と、移動用アクチュエータ１９と、モータ３３が停止される。
スライド保持部８を固定保持部７から離して、チャックピン１１、１５間から外表面に窪みが多数形成された現像スリーブ１３２を取り出し、新たな現像スリーブ１３２を保持部３０に保持させる。
こうして、現像スリーブ１３２の外表面に切削加工を施して、外表面に窪みを多数形成した現像スリーブ１３２が得られる。
【０１０２】
＜窪みの配置について＞
図２３に本実施形態の窪みの配置等を示す。（ａ）は現像スリーブ１３２の周方向の展開図、（ｂ）は（ａ）のＭ線における一定範囲の窪みの断面プロファイル、（ｃ）は（ｂ）の一部分の拡大図である。
図２３（ａ）に示すように、窪み４０Ａと、これよりも開口面積が小さく配列周期が異なる窪み４０Ｂとが混在しているが、窪み４０Ａと窪み４０Ｂはスリーブ回転数、エンドミル回転数を異なる設定で個々に加工したものである。
【０１０３】
窪み４０Ａは、スリーブの径方向の切込み深さ（設定値）８０μｍで、長手方向（Ｚ方向）の幅約０．８ｍｍ、短手方向（Ｙ方向）の幅約０．３ｍｍ、深さ約５０μｍの形状を有し、長手方向に対してほぼ水平（平行）に配置されている。
窪み４０Ｂは、切込み深さ（設定値）５０μｍで、長手方向の幅約０．４５ｍｍ、短手方向の幅約０．２ｍｍ、深さ約３０μｍの形状を有し、長手方向に対して２〜３°左下がりとなっている。
窪み４０Ａは１６５個／周、窪み４０Ｂは２２５個／周の密度で配置され、配列周期は１１：１５となっている。周方向で窪み４０Ａに窪み４０Ｂが完全に重なることによる窪み面積の低下を抑制できるように、周方向の窪み４０Ａと窪み４０Ｂの周期が設定されている。すなわち、開口面積の大きい窪み４０Ａは疎に、開口面積の小さい窪み４０Ｂは密になるように周方向に配置されている。
【０１０４】
窪み４０Ａ、窪み４０Ｂ共に、エンドミル３５の長手方向の送り速度は０．５ｍｍ／ｒｅｖに統一し、窪み４０Ｂの切込み位置を窪み４０Ａに対して０．３ｍｍ長手方向でずらしている。
窪み４０Ａの開口面積が窪み４０Ｂより大きいため、周方向、長手方向の各窪みの重なり度合いが大きくなると、窪み４０Ｂが窪み４０Ａに隠れてしまい、窪み面積の低下、窪み重複周期が現像剤の搬送量の周期偏差（窪みの均一分散性の低下）となり、画像濃淡ムラが生じる。これを防止するために切込み位置をずらしている。
配列周期が１１：１５と異なることにより、ランダムなパターン配列となり、周期偏差が生じ難い。
【０１０５】
図２３（ｂ）に示すように、窪みの任意の断面プロファイルは、２種類の窪みの重なりによって、不定形で周期性が分散した形状となっている。長手方向においても均一性は見られないが、図２３（ｃ）に破線で示すように、大きな窪み形状を有していることが確認できる。
特に窪み形状の小さい窪み４０Ｂを窪み４０Ａよりも多く配置することにより、その傾向が一層大きくなる。
【０１０６】
＜窪み加工で発生するバリの処置について＞
窪みを切削加工するに当たり、窪みのエッジ部（輪郭部）においてはバリが発生する。図２４（ａ）に示すように、切削工具４１の底部では加工力が被削材４２に集中して作用するため削り取られるが、被削材との境界部では加工力が被削材で負担し切れずに、加工力に対して被削材が変形し、バリ４３が発生する。
本実施形態では、切削工具４１はエンドミル３５の切削刃３７に相当し、被削材４２は加工前の現像スリーブ１３２に相当する。
【０１０７】
現像スリーブ１３２の表面に窪みを形成すると、図２４（ｂ）に示すように、エッジ部Ｅ１、Ｅ２が形成され、窪み４０Ａと窪み４０Ｂとの境界部にもエッジ部Ｅ３が形成される。
エッジ部にバリが残っている状態で現像スリーブ１３２の表面に硬質コート膜４４を形成すると、図２４（ｃ）に示すように、エッジ部分が盛り上がり、盛り上がった部分は現像剤の搬送抵抗により磨耗する。よって現像剤搬送能力の経年劣化を生じ、画像濃度の低下や画像ムラを生じるため、予めバリを除去した形状状態にする必要がある。
バリの除去方法としては、テープ研磨、ブラシ研磨、ラップ研磨、ブラスト研磨、電解研磨等の仕上げ加工を実施する。
【０１０８】
バリを除去してもエッジ部がそのまま存在すると、現像剤の搬送抵抗がエッジ部に集中しエッジ部が磨耗することにより初期と経時での形状差による現像剤搬送能力が変化することになる。
本実施形態では、図２５（ａ）に示すように、窪みを形成した後、バリ処理、エッジ部を滑らかな丸み形状（以下、「湾曲形状」という）にする処理を施し、その後に図２５（ｂ）に示すように、硬質コート膜４４を形成している。
バリ処理、エッジ部の湾曲形状処理は、除去作用となるため、上記加工でも除去能力の高い工法が用いられる。研磨能力の大きな番手の研磨テープ、メディアを利用する、或いは加工時間を長くする。その際、窪みの研磨、バリ除去と共に面粗度も大きくなることがある。
【０１０９】
現像剤の搬送機能を窪みの形状で規定するのが本発明の趣旨である。面粗度によっても現像剤の搬送機能を持たせることができる。
現像システムの設計プロセスに拠る所であるが、部品の面粗度に上限、下限を設けて管理する必要が生じることもあり、製品製造上の課題が生じる。面粗度規格片側の規格で管理する方が製造上望ましい。
よって、本実施形態では、弾性体メディアに微小研磨剤を含有させたブラスト工法を採用した。この工法では、メディアの衝突エネルギーが弾性体メディアに吸収されるため、必要以上に加工面の面粗度を大きくすること無く、バリやエッジ部の湾曲形状処理が可能となる。
【０１１０】
窪みの重複部境界のエッジ部でも同じで、角部に湾曲形状を形成し、経時磨耗に対処することが必要である。
エッジ部を湾曲形状にすると、角形状に比べて現像剤の搬送量が低下する傾向にある。これは窪みでの現像剤がスリップする作用が低下して、スリーブ上に停滞できずに搬送性が低下するためである。
しかしながら、本実施形態のように、その欠点を補足するように窪み数を増加させ、窪み境界部にも湾曲形状のエッジ部を形成することにより、現像剤の搬送性低下の課題を解決することができる。
【０１１１】
＜成膜、コートについて＞
近年の画像形成装置分野では、従来のオフィス向けのコピー機、プリンターの領域から、大量、高速、高画質及び高耐久性の印刷分野であるＰＰ機（プロダクティング・プリンタ）分野への応用が検討されている。
本実施形態に係る現像ローラを大量印刷機（ＰＰ機）に応用する際には、現像ローラに作用する現像剤搬送抵抗は格段に大きなものになり、更に耐久性（耐経年劣化）の要求レベルも高くなる。
そこで、現像スリーブ１３２には金属性材料を用い、その表面に硬質コート膜を成膜することで対応する。膜厚が大きくなり過ぎると、窪み形状の輪郭、エッジ部の形状が変化したり、窪み間で形状のばらつきが生じるため、０．１〜３μｍ程度の薄膜コートを実施する。
【０１１２】
硬質コート膜４４の成膜方法は、ロールコート、スプレー塗装、蒸着（ＰＶＤ、ＣＶＤ）等の工法の中でも薄膜均一性、低温処理が可能なことよりＰＶＤ（物理蒸着）を用いる。低温処理によりスリーブの金属材料に熱応力を負荷させずに済み、形状精度の安定性に効果がある。
成膜材料は、ＴｉＮ、ＴｉＡｌＮ等のチタン化合物、Ｓｉ、Ｃｒ系の耐熱材料等多くに渡るが、高硬度、耐磨耗性の観点よりＤＬＣコートが望ましい。ＤＬＣコートの中でも最近処理に炭酸ガス処理をしないｔａ−ｃ（テトラヘデラルアモルファスカーボン）により、硬度の増加、摩擦係数の低下により、現像剤の融着を防止できる効果が期待される。
【０１１３】
ｔａ−ｃコートの硬度はビッカース硬度でＨｖ５０００〜７０００で、耐磨耗性に対して大きな効果があるが、スリーブ素材を汎用のアルミニウム素材（ＡＬ６０６３−Ｔ５）とした場合には硬度はＨｖ８０程度であり、硬度差が大きく膜の密着性に問題が生じることもある。
非磁性金属材料としてのスリーブ素材はアルミニウムより高硬度なステンレス材料（ＳＵＳ３０４、Ｈｖ２００）を用いた方が、ｔａ−ｃ膜の密着性が優れ、窪み形状、輪郭の形状に倣って成膜されるため、成膜厚みの不均一、下地との密着不均一が改善され、経時使用での局所的な磨耗、剥がれ等の劣化に対して適している。
成膜はエッジ部での湾曲形状の方が角部形状より形状の倣い性が良く、湾曲形状が成膜後も再現されるメリットがある。上述のように角部形状では先端部で成膜材料の盛り上がりが生じ易く、強度等の膜品質も劣る。
【０１１４】
＜現像ローラの振れ精度について＞
現像ローラはドクタブレード１１６との隙間（ドクタギャップ）を一定に回転しなければ、現像剤の規制量（搬送量）が変動する。そのため、現像スリーブの振れ精度は重要機能であり、特に前述のブラスト工法では、ブラスト処理でスリーブの曲がりが発生、溝加工の引き抜き加工においてもスリーブの曲がりが発生することが課題であった。
ドクタギャップは現像装置の性能にもよるが、０．２〜０．６ｍｍ（中心約０．４ｍｍ）を狙うことが多い。よって、現像ローラの振れ精度が０．０３ｍｍの場合には約８％のギャップ回転偏差が生じる。
【０１１５】
本発明では、スリーブ両端部をチャッキングする旋盤加工を採用したため、振れ精度０．０１ｍｍ以下を狙い、ギャップ回転偏差を３％以下にし、現像剤の搬送量の安定化、バンディング低減を実現した。
更に、感光体ドラム１０８との隙間変動も小さくできることより、現像ムラに関して利点がある。
【０１１６】
前述した画像形成装置１０１では、プロセスカートリッジ１０６Ｙ、１０６Ｍ、１０６Ｃ、１０６Ｋはカートリッジケース１１１と帯電ローラ１０９と感光体ドラム１０８とクリーニングブレード１１２と現像装置１１３とを備えている。
しかしながら、本発明ではプロセスカートリッジ１０６Ｙ、１０６Ｍ、１０６Ｃ、１０６Ｋは少なくとも現像装置１１３を備えていれば良く、カートリッジケース１１１と帯電ローラ１０９と感光体ドラム１０８とクリーニングブレード１１２を必ずしも備えていなくても良い。
また、前述した実施形態では画像形成装置１０１は装置本体１０２に着脱自在なプロセスカートリッジ１０６Ｙ、１０６Ｍ、１０６Ｃ、１０６Ｋを備えている。
しかしながら、本発明では画像形成装置１０１は現像装置１１３を備えていれば良く、プロセスカートリッジ１０６Ｙ、１０６Ｍ、１０６Ｃ、１０６Ｋを必ずしも備えていなくても良い。
【０１１７】
［実施例］
以下に示す構成の異なる複数の現像スリーブを作製して上述した画像形成装置に組み込み、本発明の効果を確認するための評価を実施した。
【０１１８】
（実施例１）
外径２５ｍｍの円筒状のステンレス管の表面に下記の条件で窪み４０Ａ、窪み４０Ｂを形成した。
(1)窪み４０Ａ
エンドミル３５の外径３ｍｍ、刃数（４）、外縁形状３８の曲率半径＝０．１７ｍｍ）
現像スリーブ１３２の回転数：１９２ｒｐｍ
エンドミル３５の回転数    ：７９００ｒｐｍ
エンドミル３５のスリーブ長手方向の移動速度：０．５ｍｍ／ｒｅｖ
切込み深さの設定値        ：８０μｍ
(2)窪み４０Ｂ
エンドミル３５の外径３ｍｍ、刃数（４）、外縁形状３８の曲率半径＝０．１５ｍｍ）
現像スリーブ１３２の回転数：２２０ｒｐｍ
エンドミル３５の回転数    ：１２４００ｒｐｍ
エンドミル３５のスリーブ長手方向の移動速度：０．５ｍｍ／ｒｅｖ
切込み深さの設定値        ：５０μｍ
【０１１９】
窪み４０Ａを現像スリーブ１３２の全面に加工後、窪み４０Ｂの加工を実施した。
円周上に窪み４０Ａは約１６５個、窪み４０Ｂは２２５個が等間隔に形成され、０．５／ｒｅｖの速度でスリーブ長手方向に移動するため、それぞれ螺旋状に全面形成される。窪み個数は、窪み４０Ａ：窪み４０Ｂ＝１６５：２２５＝１１：１５と設定した。
工法として、円周方向の窪み加工開始位置を制御するのが困難なため、仮に窪み４０Ａ、窪み４０Ｂが完全に重なった状態が発生しても次回の重複は、窪み４０Ａが次１１個目、窪み４０Ｂが１５個となり、周期的なパタ−ンを目立たなくし、巨視的にはランダムな窪みパターンを形成するためである。
【０１２０】
窪み４０Ａ、窪み４０Ｂの長手方向の送り速度（＝長手方向の間隔）は同じであるが、加工開始位置を窪み４０Ｂで０．３ｍｍずらし、双方の窪みの重なり面積を大きく取れるように設定した。
窪み４０Ｂは、窪み４０Ａより個数が多いためその深さ設定を小さくし、窪みがランダムに重ねリ合うように設定した。
実際の深さ実測値は、窪み４０Ａが５０〜５５μｍ、窪み４０Ｂが３０〜３５μｍであった。窪み４０Ａはほぼ長手方向に水平な形状で形成され、窪み４０Ｂはエンドミルの回転数が早いため、若干左下がりに２〜３°傾いた形状となった。
【０１２１】
また、窪み４０Ｂの形状を小さく設定するため、すなわち相似的に小さくするため、エンドミル３５の外縁形状（コーナー形状）３８を窪み４０Ａに対して小さく設定し、切込み設定を小さくした。
窪みの分布を図２３（ａ）に、断面プロファイルを図２３（ｂ）に示す。
窪みのエッジ部と窪みの重複境界部のバリ処理、湾曲形状形成のために前述の弾性体メディアを利用したブラスト加工を実施した。角部の湾曲形状処理ができ、湾曲形状は観察推定より０．０２〜０．０５ｍｍ程度となった。また、面粗度も素材Ｒａで０．３μｍが０．５〜０．６μｍとなり、大きな変化は生じなかった。
【０１２２】
洗浄後、スリーブ表面にｔａ−ｃを膜厚約０．１μｍ、ＰＤＶ方式（物理的蒸着）で成膜した。前工程でエッジ部のバリの除去、湾曲形状化、面粗度精度を維持したため、成膜の密着性、膜厚ムラが小さく、窪み輪郭境界部も湾曲形状に倣うように均質成膜が可能となった。
こうして得られた現像スリーブ１３２内にマグネットローラ１３３を収容し、現像ローラ１１５を製造した。
【０１２３】
（実施例２）
外径２５ｍｍの円筒状のステンレス管の表面に下記の条件で窪み４０Ａ（実施例１）と、窪み４０Ｂを形成した。
(1)窪み４０Ａ
エンドミル３５の外径３ｍｍ、刃数（４）、外縁形状３８の曲率半径＝０．１７ｍｍ）
現像スリーブ１３２回転数：１９２ｒｐｍ
エンドミル３５回転数    ：７９００ｒｐｍ
エンドミル３５のスリーブ長手方向の移動速度：０．５ｍｍ／ｒｅｖ
切込み深さの設定値      ：８０μｍ
(2)窪み４０Ｂ
エンドミル３５の外径３ｍｍ、刃数（４）、外縁形状３８の曲率半径＝０．１５ｍｍ）
現像スリーブ１３２の回転数  ：１９２ｒｐｍ
エンドミル３５の回転数      ：１２４００ｒｐｍ
エンドミル３５のスリーブ長手方向の移動速度：０．５ｍｍ／ｒｅｖ
切込み深さの設定値          ：５０μｍ
【０１２４】
窪み４０Ａ、窪み４０Ｂの加工で現像スリーブ１３２の回転数を同じに設定した。図２６に示すように、表面加工装置１’を現像スリーブ１３２の径方向に対向配置し、窪み４０Ａと窪み４０Ｂの同時加工を実施した。
図中左側のエンドミル３５Ａが窪み４０Ａ用、右側のエンドミル３５Ｂが窪み４０Ｂ用である。
【０１２５】
図２６（ａ）における矢印ＳＲは現像スリーブ１３２の回転方向を、符号ｄＡは窪み４０Ａの切り込みを、ｄＢは窪み４０Ｂの切り込みをそれぞれ示している。
窪み４０Ｂの加工は、エンドミルの回転方向を窪み４０Ａ側と逆回転にして、エンドミルの切込み状態を窪み４０Ａと同様に設定した。
図２６（ｂ）の白抜きの矢印はエンドミル３５の送り方向を、符号ｆはエンドミル３５Ａとエンドミル３５Ｂとの間における送り方向の位置ずれ（ギャップ）を示している。
【０１２６】
窪み４０Ａと窪み４０Ｂとを同時に加工することで、下記の２つの効果が挙げられる。
（１）加工時間の短縮
（２）互いのワークに作用する加工力が対向しているため、片側加工の際に発生し易いワークへの曲げ作用力を打消すことができ、振れ精度の良好な現像スリーブを加工することができる。
円周上に窪み４０Ａは約１６５個、窪み４０Ｂは２６０個が等間隔に形成され、０．５／ｒｅｖの速度でスリーブ長手方向に移動するため、それぞれ螺旋状に全面形成される。
【０１２７】
実際の深さ実測値は、窪み４０Ａが５０〜５５μｍ、窪み４０Ｂが３０〜３５μｍであった。窪み４０Ａはほぼ長手方向に水平な形状で形成され、窪み４０Ｂはエンドミルの回転数が早いため、若干左下がりに３°程傾いた形状となった。
加工後の窪みの分布図（写真画像図）を図２７に示す。
その後、実施例１で記載したブラスト加工、ｔａ−ｃ成膜蒸着を実施した。こうして得られた現像スリーブ１３２内にマグネットローラ１３３を収容し、現像ローラ１１５を製造した。
【０１２８】
（比較例１）
外径２５ｍｍの円筒状のステンレス素管の外表面に実施例１の窪み４０Ａの形成条件で現像スリーブを製作した。すなわち、窪みは窪み４０Ａの１種類である。
窪みの分布を図２９に示す。図２９（ａ）は図２３（ａ）と同様の展開図、（ｂ）は（ａ）のＮ１、Ｎ２線における窪みの断面プロファイルを示す図である。窪みの分布図（写真画像図）を図３０に示す。現像スリーブ全体の外観は図２８と同じである。
【０１２９】
その後、実施例１で記載したブラスト加工、ｔａ−ｃ成膜蒸着を実施した。こうして得られた現像スリーブ内にマグネットローラ１３３を収容し、現像ローラを製造した。
【０１３０】
（比較例２）
外径２５ｍｍの円筒状のステンレス素管の外表面に、軸方向全長に亘り深さ０．２ｍｍのＶ字型の溝を周方向に等間隔に５０本を全長に亘って水平方向に形成した。
加工方法は刃先形状が６０°、周方向に５０刃（７．２°ピッチ）のダイスを用い、スリーブをダイスの内径に挿入し、溝形状を表面に転写させる冷間引き抜き工法を用いた。
その後、実施例１で記載したブラスト加工、ｔａ−ｃ成膜蒸着を実施した。こうして得られた現像スリーブ内にマグネットローラ１３３を収容し、現像ローラを製造した。
【０１３１】
実施例１、２、比較例１、２の現像ローラを上述した画像形成装置１０１に組み込んで、画像濃度ムラ及び経時での画像濃度ムラを確認した。
画像形成に用いた現像剤は、フェライトを芯材として帯電調整剤を含有した樹脂コート層を有する平均体積粒径が３５μｍの磁性粒子と、乳化重合法により製造され、ポリエステルを主成分として帯電制御剤、色剤を混合し、その周りにシリカや酸化チタン等を外添した、平均体積粒径が５μｍのトナーと、により構成されている。
トナー濃度は７ｗｔ％に調整してヘンシェルミキサーで混合したものを用いた。また、画像形成のプロセス条件は、感光体表面電位を−７００Ｖ、露光電位を−１５０Ｖ、現像バイアス電圧を−５５０Ｖとした。
【０１３２】
画像の濃度ムラは感光体全面を露光し、全面黒画像（ベタ画像）で評価した。現像トナーが最大出力で感光体側に電界移動するため、現像ローラの現像の搬送能力が不足の際には、現像開始部（紙面上側）から徐々に濃度低下、濃度ムラ（不均一）が生じる。
また、経時劣化を確認するため、３００，０００枚（３００Ｋ）後のベタ画像の確認も実施した。評価するベタ画像以外は、印刷面積約５％のパターンチャートでランニング印刷運転を実施した。
【０１３３】
＜画像濃度評価方法＞
各現像スリーブについてベタ画像を１０枚形成し、現像スリーブの最初の一周に相当する領域（第１領域）について分光濃度計による濃度測定を３箇所行い、現像スリーブの最初の一周以降に相当する領域（第２領域）について分光濃度計による濃度測定を３箇所行った。
そして、これら第１領域と第２領域とについて測定した濃度を用い、以下に示すように各評価を行った。
【０１３４】
（画像濃度評価基準）
第１領域及び第２領域について測定した濃度の平均値、すなわち、第１領域と第２領域とを合わせた濃度の平均値を算出して、この平均値について以下の評価基準に基づき評価を行った。
○：測定した濃度の平均値が、基準値（１．３）以上である。
×：測定した濃度の平均値が、基準値（１．３）未満である。
【０１３５】
（濃淡ムラ評価）
第１領域について測定した濃度の平均値と、第２領域について測定した濃度の平均値との差分値を算出して、この差分値について以下の評価基準に基づき評価を行った。
○：濃度の平均値の差分値が、基準値（０．０３）未満である。
×：濃度の平均値の差分値が、基準値（０．０３）以上である。
【０１３６】
（ピッチムラ評価）
１０枚のベタ画像を目視により確認して、以下の評価基準に基づき評価を行った。
○：ピッチムラが確認されたベタ画像がない。
×：ピッチムラが確認されたベタ画像が１枚以上あった。
【０１３７】
（ピッチムラ評価：現像ローラ回転周期ピッチ）
１０枚のベタ画像を目視により確認して、以下の評価基準に基づき評価を行った。
○：現像ローラ回転周期ピッチムラが確認されたベタ画像がない。
×：現像ローラ回転周期ピッチムラが確認されたベタ画像が１枚以上あった。
【０１３８】
表２に評価の結果を示す。
【０１３９】
【表２】
2016105162.tif 000004
【０１４０】
表２から明らかように、実施例１、２において、画像濃度、濃淡ムラ、ピッチムラについて、経時において良好な結果が得られた。比較例１では、経時において画像濃度の低下が見られた。
現像スリーブ表面、特に窪み輪郭部の磨耗が確認され、中にはｔａ−ｃ膜が局所的に剥がれていることも確認された。
実施例１、２においてもｔａ−ｃ膜の磨耗は確認されたが、窪み数が多く、現像剤のストレスが各窪みに分散されたためか、比較例１よりも軽度の磨耗状態であった。
比較例２では、現像剤の画像濃度、現像剤の汲上げ量の経時劣化は見られなかったが、初期より溝ピッチに起因すると思われるピッチムラが発生していた。
【０１４１】
上記のように、現像スリーブの表面上に配列周期の異なる２種類以上の窪みを円周方向、軸方向に設けることで、高い現像剤搬送能力を有する現像ローラを提供できる。
２種類以上の窪みは、現像スリーブの表面における開口面積、軸方向の縦幅、円周方向の横幅、径方向の深さ及び軸方向に対する傾斜角度のうち、少なくとも１つが異なっている構成とすることで、種々の現像仕様に適合したスリーブ形状、現像ローラを提供できる。
各窪みの一部が重なって形成、配置されていることで、窪みの重なり部でのエッジ形状が現像剤の搬送性を向上する効果を持った現像ローラを提供することができる。
各窪みの形状を異なるようにし、相対的に面積の大きい窪みは疎に、面積の小さい窪みは密に配置することで、窪みパターンの均一化を図り現像ムラの低減、濃度画質の均一化が得られる。
【０１４２】
窪みのエッジ部に湾曲形状を施すことにより、エッジ部の現像剤のストレス集中を軽減できるため、耐摩耗性に対して効果があり、経年劣化の生じ難い現像ローラを提供できる。
現像スリーブの表面に高硬度で低摩擦の膜が設けられていることにより、耐現像剤ストレス、低摩擦によるトナー溶着に対して効果があり、経年劣化の生じ難い現像ローラを提供できる。
現像スリーブの材質がオーステナイト系ステンレス鋼材料であることにより、成膜性の向上による耐磨耗性向上、または非成膜においても耐摩耗性機能を得ることができる。
２種類以上の窪みは機械加工（旋削、転造、レーザー加工等）で形成することにより、窪み配置パターンの均質化、スリーブ振れ精度の向上による高画質化を図ることができる。
また、大量、高速、高画質、高耐久機能が必要なＰＰ分野（プロダクティブ・プリンティング）の製品に搭載することができる画像形成装置を提供できる。
【０１４３】
以上、本発明の好ましい実施の形態について説明したが、本発明はかかる特定の実施形態に限定されるものではなく、上述の説明で特に限定しない限り、特許請求の範囲に記載された本発明の趣旨の範囲内において、種々の変形・変更が可能である。
本発明の実施の形態に記載された効果は、本発明から生じる最も好適な効果を例示したに過ぎず、本発明による効果は、本発明の実施の形態に記載されたものに限定されるものではない。
【符号の説明】
【０１４４】
４０Ａ、４０Ｂ  窪み
１０６  プロセスカートリッジ
１１３  現像装置
１１５  現像ローラ
１３２  現像スリーブ
１３３  磁界発生手段としてのマグネットローラ
Ｅ１、Ｅ２、Ｅ３  エッジ部
【先行技術文献】
【特許文献】
【０１４５】
【特許文献１】特開２００９−０８０４４７号公報
【図１】
2016105162.tif 000005
【図２】
2016105162.tif 000006
【図３】
2016105162.tif 000007
【図４】
2016105162.tif 000008
【図５】
2016105162.tif 000009
【図６】
2016105162.tif 000010
【図７】
2016105162.tif 000011
【図８】
2016105162.tif 000012
【図９】
2016105162.tif 000013
【図１０】
2016105162.tif 000014
【図１１】
2016105162.tif 000015
【図１２】
2016105162.tif 000016
【図１３】
2016105162.tif 000017
【図１４】
2016105162.tif 000018
【図１５】
2016105162.tif 000019
【図１６】
2016105162.tif 000020
【図１７】
2016105162.tif 000021
【図１８】
2016105162.tif 000022
【図１９】
2016105162.tif 000023
【図２０】
2016105162.tif 000024
【図２１】
2016105162.tif 000025
【図２２】
2016105162.tif 000026
【図２３】
2016105162.tif 000027
【図２４】
2016105162.tif 000028
【図２５】
2016105162.tif 000029
【図２６】
2016105162.tif 000030
【図２７】
2016105162.tif 000031
【図２８】
2016105162.tif 000032
【図２９】
2016105162.tif 000033
【図３０】
2016105162.tif 000034
【図３１】
2016105162.tif 000035
【図３２】
2016105162.tif 000036